(57)【特許請求の範囲】
【請求項１】
胴部周壁の上端部から断面円形の環状突部３を、該突部の内面下部に凹溝４を周設させて起立すると共に、頂壁６中央部を貫通してステム７を上方付勢させて起立し、該ステム下端にステム下降により開弁し、かつ復帰により閉弁する吐出弁を設けた金属製容器体１と、
上記ステムの上端部へ嵌合させた、ノズル孔付きの合成樹脂製押下げヘッド11と、
上記環状突部３上面へ載置させた鍔状天板の内外両周縁から、内筒と外筒とを垂下して内筒下端外面に周設した係合突条を環状突部内面下部の凹溝内面へ係合させた合成樹脂製の肩カバーとからなるエアゾール式液体噴出容器において、
上記肩カバーを第１肩カバーと第２肩カバーとを組合せて形成し、
第１肩カバー22は、環状突部３上面へ載置させた第１鍔状天板23内周の前後両部から、適当数の弾性係合板24を斜下内方へ突設して該係合板の下端外面に第１係合突条25を横設すると共に、第１鍔状天板外周から容器体胴部の上部外面を覆う第１外筒26を垂下して形成し、
第２肩カバー31は、第２鍔状天板32内周から垂下する内筒33を第１鍔状天板23のフランジ状孔内を通って垂下させて、該内筒の前後両筒部分外面への圧接により弾性係合板24,24 を弾性変形させて環状突部３の内面へ圧接させると共に、第１係合突条25を環状突部内面下部の凹溝４内面へ係合させ、更に内筒前後両筒部分下端外面に横設した第２係合突条35を弾性係合板24の下端内縁へ係合させ、又内筒33の左右両部外面に凹部36,36 を形成すると共に、第２鍔状天板外周から垂設した第２外筒34を第１鍔状天板上面へ載置させて設け、
第１肩カバー22に対して第２肩カバー31を強制回動させて内筒33の前後両部を、第１肩カバーの左右両部内方へ移動させたとき、第２係合突条35,35 は弾性係合板24,24 下端から外れると共に、このとき弾性係合板は弾性復元により凹部36,36 内へ嵌合して第１係合突条25,25 は環状突部内面下部の凹溝４から離脱可能に形成した
ことを特徴とするエアゾール式液体噴出容器。
【請求項２】
第１肩カバー22に対して第２肩カバー31が約９０度だけ回動可能な回動規整手段を両肩カバーの各一部に付設して、両肩カバーの前後左右が一致する正位置から、第２肩カバーを約９０度回動させた回動位置で、第１肩カバーの弾性係合板24,24 が第２肩カバー内筒の凹部36,36 内へ嵌合可能に形成した
ことを特徴とする請求項１記載のエアゾール式液体噴出容器。
【発明の詳細な説明】
【０００１】
【発明の属する技術分野】
本発明はエアゾール式の液体噴出容器に関する。
【０００２】
【従来の技術】
エアゾール式の液体噴出容器は、従来広く使用されているが、その一部として胴部周壁の上端部から断面円形の環状突部を、該突部の内面下部に凹溝を周設させて起立すると共に、頂壁中央部を貫通してステムを上方付勢させて起立し、該ステム下端にステム下降により開弁し、かつ復帰により閉弁する吐出弁を設けた金属製容器体と、上記ステムの上端部へ嵌合させた、ノズル孔付きの合成樹脂製押下げヘッドと、上記環状突部上面へ載置させた鍔状天板の内外両周縁から、内筒と外筒とを垂下して内筒下端外面に周設した係合突条を環状突部内面下部の凹溝内面へ係合させた合成樹脂製の肩カバーとからなるエアゾール式液体噴出容器が知られている。
【０００３】
【発明が解決しようとする課題】
近時廃棄物減少のために、又廃棄物を資源として再利用するために、廃棄物の分別回収が盛んとなっている。
【０００４】
上記のようなエアゾール式の液体噴出容器にあっては容器体が金属製であるに対して、押下げヘッドと肩カバーとは合成樹脂製であるから、容器体から押下げヘッドと肩カバーとを取外して、これ等押下げヘッドと肩カバーとを合成樹脂製品として廃棄することが望まれるが、上記押下げヘッドの取外しは容易であるものの、肩カバーは容器体に対して緊密に嵌着させてあるためその取外しが困難であった。尚その肩カバーは主として容器の外見向上のために嵌合させるものである。
【０００５】
本発明は上記肩カバーを第１肩カバーと第２肩カバーとで形成して容器外見を従来品に比して更に向上させると共に、容器廃棄時には第１肩カバーに対して第２肩カバーを回動させることで容器体からそれ等両肩カバーを容易に取外すことが出来るよう設けたものである。
【０００６】
【課題を解決するための手段】
第１の手段として胴部周壁の上端部から断面円形の環状突部３を、該突部の内面下部に凹溝４を周設させて起立すると共に、頂壁６中央部を貫通してステム７を上方付勢させて起立し、該ステム下端にステム下降により開弁し、かつ復帰により閉弁する吐出弁を設けた金属製容器体１と、
上記ステムの上端部へ嵌合させた、ノズル孔付きの合成樹脂製押下げヘッド11と、
上記環状突部３上面へ載置させた鍔状天板の内外両周縁から、内筒と外筒とを垂下して内筒下端外面に周設した係合突条を環状突部内面下部の凹溝内面へ係合させた合成樹脂製の肩カバーとからなるエアゾール式液体噴出容器において、
上記肩カバーを第１肩カバーと第２肩カバーとを組合せて形成し、
第１肩カバー22は、環状突部３上面へ載置させた第１鍔状天板23内周の前後両部から、適当数の弾性係合板24を斜下内方へ突設して該係合板の下端外面に第１係合突条25を横設すると共に、第１鍔状天板外周から容器体胴部の上部外面を覆う第１外筒26を垂下して形成し、
第２肩カバー31は、第２鍔状天板32内周から垂下する内筒33を第１鍔状天板23のフランジ状孔内を通って垂下させて、該内筒の前後両筒部分外面への圧接により弾性係合板24,24 を弾性変形させて環状突部３の内面へ圧接させると共に、第１係合突条25を環状突部内面下部の凹溝４内面へ係合させ、更に内筒前後両筒部分下端外面に横設した第２係合突条35を弾性係合板24の下端内縁へ係合させ、又内筒33の左右両部外面に凹部36,36 を形成すると共に、第２鍔状天板外周から垂設した第２外筒34を第１鍔状天板上面へ載置させて設け、
第１肩カバー22に対して第２肩カバー31を強制回動させて内筒33の前後両部を、第１肩カバーの左右両部内方へ移動させたとき、第２係合突条35,35 は弾性係合板24,24 下端から外れると共に、このとき弾性係合板は弾性復元により凹部36,36 内へ嵌合して第１係合突条25,25 は環状突部内面下部の凹溝４から離脱可能に形成した。
【０００７】
第２の手段として、上記第１の手段を有すると共に第１肩カバー22に対して第２肩カバー31が約９０度だけ回動可能な回動規整手段を両肩カバーの各一部に付設して、両肩カバーの前後左右が一致する正位置から、第２肩カバーを約９０度回動させた回動位置で、第１肩カバーの弾性係合板24,24 が第２肩カバー内筒の凹部36,36 内へ嵌合可能に形成した。
【０００８】
【発明の実施の形態】
以下図面について説明すると、１は金属製のエアゾール式容器体で、胴部２周壁の上端部から断面円形の環状突部３を、該突部の下部内外面に凹溝４，５を周設させて起立する。頂壁６はその中央部を隆起部に形成し、かつ該隆起部の中心部を貫通させてステム７を上方付勢させて起立し、該ステム下端には公知のようにステム下降により開弁し、かつ復帰により開弁する吐出弁を設けている。尚上記環状突部３は胴部周壁の上端部と頂壁外周部とを共に巻締めすることで形成したものである。
【０００９】
11は上記ステム７の上部へ嵌合させたノズル孔12付きの合成樹脂製の押下げヘッドで頂壁外周からは外周壁13を垂下している。図示例では該外周壁の下部外面一部と後述肩カバーとを弾性連結片14を介して連結してそれ等を一体成形しているが、別成形してもよい。
【００１０】
21は合成樹脂製の肩カバーで、本発明にあってはその肩カバーを、第１肩カバーと第２肩カバーとで形成している。
【００１１】
第１肩カバー22は、環状突部３上面へ載置させた第１鍔状天板23内周の前後両部から適当数の弾性係合板24を斜下内方へ突設して該係合板の下端外面に第１係合突条25を横設している。又第１鍔状天板23外周からは容器体胴部の上部外面を覆う第１外筒26を垂下している。その他、第１鍔状天板内周部上面には四箇の係合子27をほぼ等間隔に付設しているが、これ等については後述する。
【００１２】
第２肩カバー31は、第２鍔状天板32内周から内筒33を長く垂下し、外周から第２外筒34を短かく垂下して第１鍔状天板上面へ載置する。又内筒33の前後両部下端には第２係合突条35を横設し、内筒の左右両部外面には図２が示すように凹部36,36 を設けている。図１が示すように内筒33を第１鍔状天板23のフランジ状孔内を通って垂下させて、該内筒の前後両筒部分外面への圧接により弾性係合板24,24 を弾性変形させて環状突部３の内面へ圧接させ、該圧接により下端外面の第１係合突条25を環状突部の内面下部の凹溝４内面へ係合させ、又内筒の第２係合突条35,35 を弾性係合板24の下端内縁へ係合させている。上記凹部36,36 は、図１が示す状態から約９０度第２肩カバー31を第１肩カバー22に対して回動させたとき、弾性係合板24,24 が弾性復元により凹部36,36 内へ嵌合して、このとき第２係合突条35,35 は弾性係合板24,24 の下端内縁から、又第１係合突条25,25 は環状突部内面下部の凹溝４から、それぞれ離脱し、よってそれ等両肩カバーを容器体から容易に外すことが可能である。
【００１３】
第２外筒34は第１鍔状天板23の外周部上面へ載置させており、図示例では図２が示すように第２外筒34と内筒33上部外面との間一部に、既述係合子27と係合させる係合板37を横設している。これ等係合子と係合板とは、第１肩カバーに対する第２肩カバーの回動規整手段を形成するもので、図１のように内筒33の前後両部が第１肩カバーの弾性係合板24,24 を環状突部３の内面へ押付けた位置で、係合板37は係合子27の側面へ接して、第２肩カバーを任意に定めた反回動方向側へ回すことが不能とし、該状態から第２肩カバーを正回動方向へ回して係合板が次の係合子の反回動方向側の側面に接して回動を停止したとき、凹部36,36 が第１肩カバーの前後両部側へ移動して、上記弾性係合板24,24 がその凹部内へ嵌合し、よって第１係合突条25が環状突部３の内部下面から離れるよう設けるものである。尚回動規整手段としての係合子27と係合板37とは他の位置に設けてもよく、又例えば凹溝と該凹溝内を摺動する係合子とで形成することも出来る。
【００１４】
41は必要により設ける合成樹脂製のキャップであり、該キャップは第２肩カバーの第２外筒34外面へ嵌合させている。
【００１５】
【発明の効果】
本発明は既述構成とするものであり、金属製のエアゾール式容器体上部へ嵌合させる肩カバーを、第１肩カバー22と第２肩カバー31とで形成して、それ等両肩カバーの各前後を一致させた正位置では、それ等両肩カバーは容器体上部に対して抜出し不能に嵌合されているものの、第１肩カバーに対して第２肩カバーを約９０度回動させると、容器体胴部上端から起立する環状突部３の内面下部の凹溝４内へ第１係合突条25を係合していた弾性係合板24,24 は、第２肩カバー内筒33の左右両部外面に設けた凹部36,36 内へ弾性復元により嵌合することで、上記第１係合突条25が上記凹溝４から外れるよう設けたから、容器体からの両肩カバーの取外しが極めて容易であり、又押下げヘッド11の取外しは本来容易であるから、このようにして金属製容器体と合成樹脂製の肩カバーおよび押下げヘッドの分別が容易である。
【００１６】
又肩カバーを第１肩カバーと第２肩カバーとを組合せて形成し、第１肩カバーの第１鍔状天板23上面へ第２肩カバーの第２鍔状天板32外周から垂下する第２外筒34を載置させたから、肩カバーの外筒は第１外筒26と第２外筒34とで上下二段に形成されることとなって、容器外見を向上できると共に、その二段構成で他のエアゾール式液体噴出容器に対する差別化も可能となる効果がある。
【００１７】
更に第１肩カバー22に対して第２肩カバー31が約90度だけ回動可能な回動規整手段を設けることで、第１肩カバーに対する第２肩カバーの回し過ぎがなく、それ等両肩カバーを容器体から外す際、便利である。
【図面の簡単な説明】
【図１】  本発明容器の断面図である。
【図２】  容器主要部材の分解斜視図である。
【符号の説明】
３…環状突部              11…押下げヘッド
22…第１肩カバー          24…弾性係合板
31…第２肩カバー          33…内筒
36…凹部
【図１】
0003751442.tif 000002
【図２】
0003751442.tif 000003